(57)【要約】【課題】  記録装置の起動時間に対するユーザの待機時間を短縮する。【解決手段】  複数の番組のコンテンツを取得するコンテンツ取得部１１と、複数の番組のコンテンツにそれぞれ付帯する番組情報を取得する番組情報取得部２０と、複数の番組のコンテンツを保存するコンテンツ記録部１２と、複数の番組情報を保存する番組情報記録部１０３と、コンテンツ記録部１２に特定の期間、第一電源を供給する第一電源２０１と、特定の期間とは異なる期間、番組情報記録部１０３に第二電源を供給する第二電源２０２とを備える。【選択図】    図１
2008079000.tif 000002
【特許請求の範囲】
【請求項１】
複数の番組のコンテンツを取得するコンテンツ取得部と、
前記複数の番組のコンテンツにそれぞれ付帯する番組情報を取得する番組情報取得部と、
前記複数の番組のコンテンツを保存するコンテンツ記録部と、
前記複数の番組情報を保存する番組情報記録部と、
前記コンテンツ記録部に特定の期間、第一電源を供給する第一電源と、
前記特定の期間とは異なる期間、前記番組情報記録部に第二電源を供給する第二電源
とを備えることを特徴とする記録装置。
【請求項２】
前記複数の番組情報を表示する番組情報表示部を更に備えることを特徴とする請求項１に記載の記録装置。
【請求項３】
前記複数の番組情報を前記番組情報記録部とは別に保存するライブラリ記録部を更に備えることを特徴とする請求項１に記載の記録装置。
【請求項４】
前記コンテンツ取得部、前記情報取得部、前記コンテンツ記録部及び前記ライブラリ記録部への前記第一電源の供給及び前記番組情報記録部への前記第二電源の供給を制御する電源制御部を更に備えることを特徴とする請求項１に記載の記録装置。
【請求項５】
前記複数の番組のコンテンツ及び前記複数の番組情報を表示するコンテンツ表示装置を更に備えることを特徴とする請求項１に記載の記録装置。
【発明の詳細な説明】
【技術分野】
【０００１】
本発明は記録装置に関し、特に待機状態でも番組コンテンツを閲覧可能な技術に関する。
【背景技術】
【０００２】
従来の記録装置では、待機状態において録画された番組及び録画を予定した番組の一覧を閲覧することは不可能である。ここで、「待機状態」とは、完全に電源が切られているのではなく、すぐに起動できるように、記録装置が備える必要最小限のデバイスに対して微弱な電流が流れている状態を意味する。そのため、ユーザが録画した番組の中から視聴する番組を選択する際は、記録装置の電源を投入し、起動完了後に録画された番組の一覧を確認していた。しかし、記録装置の起動には時間がかかる。それは、記録装置がハードディスクドライブ等の起動速度が遅いデバイスを複数備えているためである。そのため、ユーザは録画された番組の一覧を閲覧するには、装置の起動を待つ必要があった。記録装置が備える全てのデバイスを常時電源ＯＮしていれば、番組の一覧の閲覧までに必要な起動に対する待機時間は無くなるが、節電の観点で好ましくない。しかし、番組の一覧を閲覧するのに必要なデバイスのみ電源供給を行い、閲覧に必要のないデバイスには電源供給を断つことで、節電効果を高め、番組の一覧の閲覧までに必要な時間を短縮させることができる技術はなかった（例えば、特許文献１参照）。
【特許文献１】特開２０００−３０６３１４公報
【発明の開示】
【発明が解決しようとする課題】
【０００３】
本発明は、待機状態でも番組情報を閲覧可能な記録装置を提供する。
【課題を解決するための手段】
【０００４】
本発明の態様によれば、複数の番組のコンテンツを取得するコンテンツ取得部と、複数の番組にそれぞれ付帯する番組情報を取得する番組情報取得部と、複数の番組のコンテンツを保存するコンテンツ記録部と、複数の番組情報を保存する番組情報記録部と、コンテンツ記録部に特定の期間、第一電源を供給する第一電源と、特定の期間とは異なる期間、番組情報記録部に第二電源を供給する第二電源を備える記録装置が提供される。
【発明の効果】
【０００５】
本発明によれば、待機状態でも番組情報を閲覧可能な記録装置を提供可能である。
【発明を実施するための最良の形態】
【０００６】
次に図面を参照して、本発明の実施の形態を説明する。以下の図面の記載において、同一又は類似の部分には同一又は類似の符号を付している。なお、以下の示す実施の形態は、この発明の技術的思想を具体化するための装置や方法を例示するものであって、この発明の技術的思想は構成部品の配置等を下記のものに特定するものではない。この発明の技術的思想は、特許請求の範囲において、種々の変更を加えることができる。
【０００７】
（第１の実施の形態）
本発明の第１の実施の形態に係る記録装置２００は、図１に示すように、配信局１１１から発信される信号を受信可能なエリアに配置されている。
【０００８】
配信局１１１は、「コンテンツ」及び「番組情報」を配信する。ここで、「コンテンツ」とは、テレビ番組の映像及び音声等を含む。また、「番組情報」とはテレビ番組の番組タイトル、チャンネル、ジャンル、日付、開始時間、終了時間、出演者及びあらすじ等が含まれる電子番組ガイド（ＥＰＧ）等のコンテンツに付帯する情報を含む。コンテンツ及び番組情報はテレビ局より発信する電波やインターネットサイトが発信するデジタルデータとして配信される。ここで、番組情報の集合を「番組情報ライブラリ」とする。
【０００９】
コンテンツ処理装置１、番組情報処理装置１００及びコンテンツ表示装置１１０を備える記録装置２００の待機状態において、コンテンツ処理装置１が備える、番組情報取得部２０、ライブラリ制御部３０、ライブラリ記録部３１、ライブラリ出力部４０、要求情報入力部５０、電源制御部６０及びライブラリ通信部８０は、第一電源２０１から第一電源を常時供給可能であり、常時電源ＯＮの状態にすることができる。更に、番組情報処理装置１００が備える、番組情報通信部１０１、番組情報制御部１０２及び番組情報記録部１０３は、第一電源２０１とは別系統の第二電源２０２から第二電源を常時供給可能であり、常時電源ＯＮの状態にすることができる。
【００１０】
ここで、番組情報取得部２０は、配信局１１１より配信された番組情報を受信する機能を有する。番組情報取得部２０の通信方式には、有線及び無線のテレビアンテナによるアナログ及びデジタル伝送方式が使用可能である。更に、電話線を使用したＤＳＬ（Digital Subscriber Line）等が使用可能である。更に、光ファイバを利用したＦＴＴＨ（Fiber To The Home）及び無線通信であるＩＥＥＥ８０２．１１、ＷｉＭＡＸ（Worldwide Interoperability for Microwave Access）等が使用可能である。
【００１１】
ライブラリ制御部３０は、コンテンツ記録部１２に格納された録画済番組のコンテンツに対応する番組情報及び録画予定番組の番組情報の一覧を生成する。また、コンテンツ記録部１２におけるコンテンツの追加、削除が発生した場合、ライブラリ記録部３１に格納された番組情報ライブラリに対して、コンテンツの変更に対応する番組情報の変更を、番組情報取得部２０より取得した番組情報を基に反映させる。
【００１２】
ライブラリ記録部３１は、番組情報ライブラリを格納する。なお、ライブラリ記録部３１は、ハードディスクドライブ等の磁気ディスク装置、不揮発性半導体メモリ及びメモリーカード等が使用可能である。
【００１３】
ライブラリ出力部４０は、ライブラリ制御部３０から受信した、ライブラリ記録部３１に格納されている変更された番組情報ライブラリを、ライブラリ通信部８０に対して送信する。ライブラリ出力部４０の送信エラー、ライブラリ通信部８０及び番組情報通信部の通信エラー等、番組情報制御部１０２の受信エラー等が発生した場合には、ライブラリ出力部４０は再送処理を行う。
【００１４】
要求情報入力部５０は、番組情報処理装置１００における番組情報入力部１０４からライブラリ通信部８０を通して送信されたユーザの入力によるユーザ要求した情報及び要求情報入力部５０から直接入力されたユーザ要求情報を受信し、コンテンツ処理装置１における要求対象の各機能ブロックに対してそれぞれ指示を出力する。ここで、「ユーザ要求情報」とは、コンテンツ及び番組情報の追加、削除及び編集等のように、コンテンツ及び番組情報の操作に関する情報と、各機能ブロックの電源のＯＮ及びＯＦＦ等のように、電源操作に関する情報とが含まれる。要求情報入力部５０は、コンテンツ及び番組情報の操作に関するユーザ要求情報に関してはライブラリ制御部３０に、電源操作に関するユーザ要求情報に関しては電源制御部６０に送信する。また、「機能ブロック」とは、図１、図１４及び図１７におけるコンテンツ処理装置１及び番組情報処理装置１００が備えるコンテンツ記録再生部１０、コンテンツ取得部１１、コンテンツ記録部１２、コンテンツ再生部１３、番組情報取得部２０、ライブラリ制御部３０、ライブラリ記録部３１、ライブラリ出力部４０、要求情報入力部５０、電源管理部６０、ライブラリ通信部８０、番組情報通信部１０１、番組情報制御部１０２、番組情報記録部１０３、番組情報入力部１０４、番組情報出力部１０５、番組情報表示部１０６等を指す。
【００１５】
電源制御部６０は、要求情報入力部５０から送信された電源のＯＮ及びＯＦＦに関するユーザ要求情報を受信し、コンテンツ処理装置１に含まれる各機能ブロックに対して、電源ＯＮ及びＯＦＦを制御する。
【００１６】
ライブラリ通信部８０は、番組情報処理装置１００とコンテンツ処理装置１の間において、各種情報を含むデータ及び信号の送受信を行う際に使用される、コンテンツ処理装置１に含まれるインタフェースである。ライブラリ通信部８０の通信方式は、ＩＥＥＥ８０２．１１、近接無線通信機能等の無線通信方式が使用可能である。
【００１７】
番組情報通信部１０１は、ライブラリ通信部８０と各種情報を含むデータ及び信号の送受信を行う際に使用される、番組情報処理装置１００に含まれるインターフェースである。番組情報通信部１０１の通信方式は、ライブラリ通信部８０と同様である。
【００１８】
番組情報制御部１０２は、番組情報通信部１０１より受信した番組情報ライブラリを番組情報記録部１０３に送信する。また、番組情報入力部１０４より入力されたユーザ要求情報を番組情報通信部１０１を通して、コンテンツ処理装置１に送信する。なお、番組情報制御部１０２は、番組情報記録部１０３とライブラリ記録部３１が番組情報ライブラリの同期を取る際の管理を行っているため、番組情報ライブラリが番組情報記録部に正しく格納されなかった場合や番組情報通信部１０１による通信エラーが発生した場合は、ライブラリ制御部３０に対して番組情報ライブラリの再送要求を行う。更に、番組情報入力部１０４からのユーザ要求情報の応答として、番組情報記録部１０３に格納された番組情報ライブラリを、番組情報表示部１０６に表示するよう促す。
【００１９】
番組情報記録部１０３は、ライブラリ記録部３１に格納されている番組情報ライブラリを同期を取って格納する。同期のタイミングは、ライブラリ記録部３１に格納されている番組情報ライブラリの内容に追加、削除、変更等が発生した際である。なお、番組情報記録部１０３は、ハードディスクドライブ等の磁気ディスク装置、不揮発性半導体メモリ及びメモリーカード等が使用可能である。
【００２０】
次に、記録装置２００の待機状態において、コンテンツ処理装置１のコンテンツ取得部１１、コンテンツ記録部１２、コンテンツ再生部１３及びコンテンツ出力部７０へは、第一電源２０１からの第一電源の供給が遮断され、電源ＯＦＦの状態となる。更に、番組情報処理装置１００の番組情報入力部１０４、番組情報出力部１０５、番組情報表示部１０６へは、第一電源２０１とは別系統の第二電源２０２からの第二電源の供給が遮断され、電源ＯＦＦの状態となる。更に、コンテンツ表示装置１１０へは、第一電源２０１及び第二電源２０１とは別系統の第三電源２０３からの第三電源の供給が遮断され、電源ＯＦＦの状態となる。
【００２１】
ここで、コンテンツ記録再生部１０は、配信局１１１より配信されたコンテンツを記録及び再生する。コンテンツ取得部１１は、配信局１１１からコンテンツを受信し、コンテンツ記録部１２は、受信したコンテンツを格納する。そして、コンテンツ再生部１３は、格納されたコンテンツを再生する。なお、コンテンツ記録部１２は、ハードディスクドライブ等の磁気ディスク装置、不揮発性半導体メモリ及びメモリーカード等が使用可能である。コンテンツ記録再生部１０には第一電源２０１から第一電源が供給される。ただし、「待機状態」においては、コンテンツ記録再生部１０には第一電源２０１から第一電源は供給されない。
【００２２】
コンテンツ出力部７０は、コンテンツ記録再生部１０に含まれるコンテンツ再生部１３から、再生用の映像及び音声を出力する。
【００２３】
番組情報入力部１０４は、ユーザ要求情報の入力を受け付ける。また、番組情報入力部１０４の操作開始をトリガーにコンテンツ処理装置１の電源ＯＮの要求を自動的に促す機能を備えることも可能である。
【００２４】
番組情報出力部１０５は、番組情報制御部１０２より送信された番組情報記録部１０３に格納された番組情報ライブラリを、画像及び映像の形式で番組情報表示部１０６に表示するよう促す。
【００２５】
番組情報表示部１０６は、番組情報出力部１０５より送信された、画像及び映像形式の番組情報ライブラリを表示する。
【００２６】
コンテンツ表示装置１１０は、コンテンツ出力部７０より出力された、コンテンツ記録部１２に格納されコンテンツ再生部１３により再生されたコンテンツの再生画像及び映像を表示、音声を出力する。
【００２７】
図１に示すように、番組情報処理装置１００は第二電源２０２を、コンテンツ処理装置１の第一電源２０１とは別系統で備えている。そのため、コンテンツ処理装置１の電源の状態に関係なく作動可能である。よって、コンテンツ処理装置１が電源ＯＦＦの状態であっても、番組情報処理装置１００の電源をＯＮにすることで、ライブラリ情報表示記録部１０３に保存されている番組情報ライブラリを閲覧することが可能である。
【００２８】
図２は本発明の第１の実施の形態における番組情報処理装置１００の概観の一例であり、ここでは、情報を表示することのできるリモコンである。更に、図２は番組情報処理装置１００を電源ＯＮにした際に番組情報表示部１０６が表示する操作メニューの一例を示す。
【００２９】
また、図３は本発明の第１の実施の形態における番組情報処理装置１００の概観の一例を示す。更に、番組情報表示部１０６に表示された図２の操作メニューに対するサブメニューの例を示す。図３に示すように、番組情報処理装置１００からコンテンツ及び番組情報に対する操作を全て行うことができる。
【００３０】
また、図４に示す番組情報処理装置１００の概観の一例は、図２及び図３と同一である。更に、図４は番組情報表示部１０６に表示された番組情報ライブラリである録画済番組の一覧の例を示す。番組情報表示部１０６には録画済番組の閲覧コンテンツの選択に必要な情報が示されており、番組情報処理装置１００から、録画済番組の一覧の全体を閲覧可能である。
【００３１】
図５に示す番組情報処理装置１００の概観の一例は、図２、図３及び図４と同一である。更に、図５は番組情報表示部１０６に表示された番組情報ライブラリである録画予約番組の一覧の例を示す。図５に示すように、番組情報表示部１０６には録画予約番組の閲覧コンテンツの選択に必要な情報が示されており、番組情報処理装置１００から、録画予約番組の一覧の全体を閲覧可能である。また、図６及び図７はそれぞれ録画済番組の番組情報及び録画予定番組の番組情報を示す。
【００３２】
図４、図５、図６及び図７からわかるように、番組情報表示部１０６に表示される番組情報ライブラリは、番組情報の特定の項目によって構成されている。なお、番組情報の閲覧は、番組情報ライブラリの中から閲覧対象の１番組を選択することにより可能となる。更に、図８は録画済番組情報ライブラリの構成例である。
【００３３】
図８からわかるように、録画済番組情報ライブラリは録画済番組情報の集合である。また、図４と比較するとわかるように、番組情報ライブラリとして表示されている各項目は、番組情報の中の項目から取得されている。
【００３４】
更に、図９は録画予定番組情報ライブラリの構成例である。図９からわかるように、録画予定番組情報ライブラリは録画予定番組情報の集合である。また、図５と比較するとわかるように、番組情報ライブラリとして表示されている各項目は、番組情報の中の項目から取得されている。
【００３５】
番組情報処理装置１００はコンテンツ処理装置１の第１電源２０１とは別系統の第２電源２０２を備える。従って、コンテンツ処理装置１が電源ＯＦＦの状態であっても番組情報ライブラリを操作することが可能となる。
【００３６】
以上図１からわかるように、記録装置２００において、コンテンツ処理装置１が任意の機能ブロックに電源が供給されている待機状態あるいは全ての機能ブロックへの電源が遮断されている電源ＯＦＦの状態のいずれの状態であっても、全く無関係にコンテンツ処理装置１から独立して、番組情報処理装置１００から番組情報及び番組情報ライブラリを閲覧することが可能である。
【００３７】
次に、図１０に示すフローチャートを用いて第１の実施の形態に係る番組情報ライブラリ及びコンテンツの閲覧方法について説明する。ここで、動作のスタート時においては、図１における番組情報取得部２０、ライブラリ制御部３０、ライブラリ記録部３１、ライブラリ出力部４０、要求情報入力部５０、電源制御部６０、ライブラリ通信部８０、番組情報通信部１０１、番組情報制御部１０２及び番組情報記録部１０３は電源ＯＮの状態である。コンテンツ及び番組情報の取得、番組情報ライブラリの変更及び番組情報ライブラリの同期処理等を自動的に行うためである。また、コンテンツ取得部１１、コンテンツ記録部１２、コンテンツ再生部１３、コンテンツ出力部７０、番組情報入力部１０４、番組情報出力部１０５、番組情報表示部１０６及びコンテンツ表示装置１１０は電源ＯＦＦの状態である。消費電力を抑え、節電するためである。
【００３８】
（ａ）ステップＳ１０において、ユーザが番組情報ライブラリを閲覧するため、番組情報処理装置１００の電源をＯＮにする。すると、番組情報処理装置１００が備える、番組情報入力部１０４、番組情報出力部１０５及び番組情報表示部１０６の機能ブロックの電源がＯＮになる。
【００３９】
（ｂ）ステップＳ１１において、番組情報制御部１０２は、番組情報処理装置１００に対する電源ＯＮの状態に関する情報を番組情報通信部１０１に送信する。ライブラリ通信部８０は、番組情報通信部１０１より受信した電源ＯＮの状態に関する情報を要求情報入力部５０に送信する。要求情報入力部５０はコンテンツ取得部１１、コンテンツ記録部１２、コンテンツ再生部１３、コンテンツ出力部７０、番組情報入力部１０４、番組情報出力部１０５及び番組情報表示部１０６の電源をＯＮにするよう電源制御部６０に指示する。その後、各機能ブロックの起動が開始される。
【００４０】
（ｃ）ステップＳ１２において、ユーザは番組情報表示部１０６に表示された番組情報ライブラリを閲覧する。コンテンツ処理装置１の起動時には、各機能ブロックの初期化及び読込みのために時間が費やされる。更に、ハードディスク等の記録装置による大容量化、ＥＰＧ及びネットワーク機能等の増加に伴うハードウェア増加及びハードウェアを制御するソフトウェアの増加によって、初期化及び読込みのために浪費する時間は増大している。そのため、コンテンツ処理装置１の起動には十分な時間が必要となる。
【００４１】
（ｄ）ステップＳ１３において、ユーザが番組情報ライブラリを閲覧中に、コンテンツ処理装置１が備える機能ブロックは電源ＯＮとなりコンテンツ処理装置１は起動を完了する。ステップＳ１４において、ユーザは番組情報ライブラリを閲覧後、視聴するコンテンツを選択する。
【００４２】
（ｅ）ステップＳ１５において、ユーザによって視聴の選択をされたコンテンツが、コンテンツ処理装置１のコンテンツ記録再生部１０が備えるコンテンツ再生部１３によって再生される。ステップＳ１６において、ユーザは選択コンテンツを視聴する。
【００４３】
このように、第１の実施の形態に係るコンテンツ処理装置１は第一電源２０１を備え、別系統の第二電源２０２を備えた番組情報処理装置１００を接続することで、ユーザはコンテンツ処理装置１の起動が完了するまで待機せずに、迅速に番組情報ライブラリを閲覧することができる。また、番組情報ライブラリの閲覧中にコンテンツ処理装置１を起動させることで、起動時間を待ち時間とする待機状態を回避することが可能となる。更に、起動の迅速性を求め、コンテンツ処理装置１が備える機能ブロック全てを電源ＯＮの状態にしておくよりも、同様の処理時間を費やすにも関わらず、節電を行うことが可能となる。更に、処理の迅速性を求めた全機能ブロックに対する電源ＯＮの状態と比較して、通電時間の短縮による電子部品の経年劣化等を抑えることができる。
【００４４】
次に、図１１に示すフローチャートを用いて第１の実施の形態に係る録画済番組情報ライブラリの、ライブラリ記録部３１と番組情報記録部を同期させる動作方法について説明する。ここで、動作のスタート時においては、図１における番組情報取得部２０、ライブラリ制御部３０、ライブラリ記録部３１、ライブラリ出力部４０、要求情報入力部５０、電源制御部６０、ライブラリ通信部８０、番組情報通信部１０１、番組情報制御部１０２及び番組情報記録部１０３が電源ＯＮの状態である。コンテンツ及び番組情報の取得、番組情報ライブラリの変更及び番組情報ライブラリの同期処理等を自動的に行うためである。また、コンテンツ取得部１１、コンテンツ記録部１２、コンテンツ再生部１３、コンテンツ出力部７０、番組情報入力部１０４、番組情報出力部１０５及び番組情報表示部１０６は電源ＯＦＦの状態である。消費電力を抑え、節電するためである。
【００４５】
（ａ）ステップＳ２０において、ライブラリ記録部３１に格納されている録画済番組情報ライブラリに番組情報の追加及び削除等の変更が発生した場合、ステップＳ２１において、番組情報ライブラリの変更内容すなわち変更後の番組情報ライブラリ全体をライブラリ出力部４０に送信する。なお、変更後の番組情報ライブラリ全体を送信する代わりに、変更前後の番組情報ライブラリの差分を送信してもよい。
【００４６】
（ｂ）ステップＳ２２において、ライブラリ出力部４０は、番組情報ライブラリの変更内容を、ライブラリ通信部８０を通して番組情報処理装置１００に送信する。ステップＳ２３において、番組情報ライブラリの変更内容を正常に受信完了した際に、番組情報通信部１０１からライブラリ通信部８０に対して、一定時間内に「受信完了」のメッセージを送信する。「受信完了」のメッセージをライブラリ通信部８０が受信すれば、ステップＳ２４において、番組情報制御部１０２は、番組情報ライブラリの変更内容を、番組情報記録部１０３に格納する。すなわち、番組情報ライブラリの変更内容に対する同期処理は完了する。
【００４７】
（ｃ）ステップＳ２３において、「受信完了」の応答がなければ、ステップＳ２２において、ライブラリ出力部４０は、番組情報ライブラリの変更内容をライブラリ通信部８０を通して、番組情報処理装置１００へ再度送信する。
【００４８】
次に、図１２に示すフローチャートを用いて第１の実施の形態に係る録画予定番組情報ライブラリの、ライブラリ記録部３１と番組情報記録部との間における同期に関する動作について説明する。ここで、動作のスタート時においては、図１における番組情報取得部２０、ライブラリ制御部３０、ライブラリ記録部３１、ライブラリ出力部４０、要求情報入力部５０、電源制御部６０、ライブラリ通信部８０、番組情報通信部１０１、番組情報制御部１０２及び番組情報記録部１０３が電源ＯＮの状態である。コンテンツ及び番組情報の取得、番組情報ライブラリの変更及び番組情報ライブラリの同期処理等を自動的に行うためである。また、コンテンツ取得部１１、コンテンツ記録部１２、コンテンツ再生部１３、コンテンツ出力部７０、番組情報入力部１０４、番組情報出力部１０５及び番組情報表示部１０６は電源ＯＦＦの状態である。消費電力を抑え、節電するためである。
【００４９】
（ａ）ステップＳ３０において、ライブラリ記録部３１に格納された番組情報ライブラリに録画予定番組情報の追加、削除及び変更等があった場合、ステップＳ３１において、ライブラリ制御部３０は、録画予定番組の番組情報を、ライブラリ記録部３１に格納されている番組情報ライブラリに追加する。ここで、録画予定番組の変更とは、ユーザによるマニュアルの録画予約及びキーワード抽出当による自動検索によって録画予約された番組の追加等を指す。また、録画予約番組情報を番組情報ライブラリに追加する際は、「録画予定」を示すフラグを付加し、「録画済」番組情報と明確に区別する。ステップＳ３０において録画予定番組情報に変更がなかった場合、ステップＳ３２において、番組情報ライブラリに変更が生じたかどうかの判断を行う。
【００５０】
（ｂ）ステップＳ３２において、番組情報ライブラリに変更が生じた場合、ステップＳ３３において、ライブラリ制御部３０は、番組情報ライブラリの変更内容すなわち変更後の番組情報ライブラリ全体あるいは変更前後の差分をライブラリ出力部４０に送信する。
【００５１】
（ｂ）ステップＳ３４において、ライブラリ出力部は、番組情報ライブラリの変更内容を、ライブラリ通信部８０を通して番組情報処理装置１００に送信する。ステップＳ３５において、番組情報ライブラリの変更内容を正常に受信完了した際は、番組情報通信部１０１からライブラリ通信部８０に対して、一定時間内に「受信完了」のメッセージを送信する。「受信完了」の応答があれば、ステップＳ３６において、番組情報制御部１０２は、番組情報ライブラリの変更内容を、番組情報記録部１０３に格納する。すなわち、番組情報ライブラリの変更内容に対する同期処理は完了する。
【００５２】
（ｃ）ステップＳ３５において、「受信完了」の応答がなければ、ステップＳ３４において、ライブラリ出力部４０は、番組情報ライブラリの変更内容をライブラリ通信部８０を通して、番組情報処理装置１００へ再度送信する。
【００５３】
次に、図１３に示すフローチャートを用いて第１の実施の形態に係る録画済及び録画予定番組情報ライブラリ閲覧時におけるコンテンツ処理装置１の電源制御について説明する。ここで、動作のスタート時においては、図１における番組情報取得部２０、ライブラリ制御部３０、ライブラリ記録部３１、ライブラリ出力部４０、要求情報入力部５０、電源制御部６０、ライブラリ通信部８０、番組情報通信部１０１、番組情報制御部１０２及び番組情報記録部１０３が電源ＯＮの状態である。コンテンツ及び番組情報の取得、番組情報ライブラリの変更及び番組情報ライブラリの同期処理等を自動的に行うためである。また、コンテンツ取得部１１、コンテンツ記録部１２、コンテンツ再生部１３、コンテンツ出力部７０、番組情報入力部１０４、番組情報出力部１０５及び番組情報表示部１０６は電源ＯＦＦの状態である。消費電力を抑え、節電するためである。
【００５４】
（ａ）ステップＳ４０において、ユーザが番組情報ライブラリを閲覧するために、番組情報処理装置１００の電源をＯＮにすると、自動的に番組情報処理装置１００は番組情報通信部１０１を通して、コンテンツ処理装置１へ電源ＯＮの要求を送信する。ライブラリ通信部８０は、コンテンツ処理装置１の電源ＯＮの要求を受信すると、ステップＳ４１において、要求情報入力部５０に電源ＯＮの要求を通知する。
【００５５】
（ｂ）ステップＳ４２において、電源ＯＮの要求を受信した要求情報入力部５０は、電源制御部６０に対してコンテンツ処理装置１の電源ＯＮの要求を送信する。ステップＳ４３において、電源制御部６０は、コンテンツ処理装置１が備える機能ブロックの中に起動していないものがあるか判別し、未起動の機能ブロックがある場合は対象の機能ブロックに対して電源ＯＮの要求を送信し、起動を促す。
【００５６】
（第２の実施の形態）
本発明の第２の実施の形態に係る記録装置２００は、図１４のように示される。すなわち、番組情報ライブラリを表示する番組情報表示部１０６がコンテンツの再生を表示するコンテンツ表示装置１１０に接続される。コンテンツ表示装置１１０は第三電源２０３を備えており、コンテンツ処理装置１が備える第一電源２０１とは別系統の電源である。また、コンテンツ表示装置１１０のチャンネルを切り替えることによって、番組情報ライブラリの表示及びコンテンツの表示のいずれかに切り替えることが可能となる。更に、コンテンツの表示時に任意の位置で縮小サイズの番組情報ライブラリを表示することが可能であり、番組情報ライブラリの表示時に任意の位置で縮小サイズのコンテンツを表示することも可能である。
【００５７】
従って、本発明の第１の実施の形態に係るコンテンツ処理装置１とは異なり、複数の記録部間で番組情報ライブラリの同期に関する処理を行う必要も、同期処理を施す際の通信を行う必要もない。ここで、本発明の第１の実施の形態に係るコンテンツ処理装置１における番組情報制御部１０２、番組情報記録部１０３及び番組情報出力部１０５の機能は、本発明の第２の実施の形態に係るコンテンツ処理装置１の、ライブラリ制御部３０、ライブラリ記録部３１及びライブラリ出力部４０がそれぞれ有する。
【００５８】
次に、図１５に示すフローチャートを用いて第２の実施の形態に係る番組情報ライブラリ及びコンテンツの閲覧について説明する。ここで、動作のスタート時においては、図１４における番組情報取得部２０、ライブラリ制御部３０、ライブラリ記録部３１、ライブラリ出力部４０、要求情報入力部５０、電源制御部６０及びコンテンツ出力部７０が電源ＯＮの状態である。コンテンツ及び番組情報の取得、番組情報ライブラリの変更等を自動的に行うためである。また、コンテンツ取得部１１、コンテンツ記録部１２、コンテンツ再生部１３、番組情報表示部１０６及びコンテンツ表示装置１１０は電源ＯＦＦの状態である。消費電力を抑え、節電するためである。
【００５９】
（ａ）ステップＳ５０において、ユーザが番組情報ライブラリを閲覧するため、コンテンツ表示装置１１０の電源をＯＮにする。すると、コンテンツ表示装置１１０が備える番組情報表示部１０６の電源がＯＮになる。
【００６０】
（ｂ）ステップＳ５１において、コンテンツ表示装置１１０の電源ＯＮの状態に関する情報を要求情報入力部５０が取得する。要求情報入力部５０は、コンテンツ取得部１１、コンテンツ記録部１２及びコンテンツ再生部１３の電源をＯＮにするよう電源制御部６０に指示する。その後、各機能ブロックの起動が開始される。
【００６１】
（ｃ）ステップＳ５２において、ユーザは番組情報表示部１０６に表示された番組情報ライブラリを閲覧する。コンテンツ処理装置１の起動時には、各機能ブロックの初期化及び読込みのために時間が費やされる。更に、ハードディスク等の記録装置による大容量化、ＥＰＧ及びネットワーク機能等の増加に伴うハードウェア増加及びハードウェアを制御するソフトウェアの増加によって、初期化及び読込みのために浪費する時間は増大している。そのため、コンテンツ処理装置１の起動には十分な時間が必要となる。
【００６２】
（ｄ）ステップＳ５３において、ユーザが番組情報ライブラリを閲覧中に、コンテンツ処理装置１は起動を完了する。ステップＳ５４において、ユーザは番組情報ライブラリを閲覧後、視聴するコンテンツを選択する。
【００６３】
（ｅ）ステップＳ５５において、ユーザによって視聴の選択をされたコンテンツが、コンテンツ処理装置１のコンテンツ記録再生部１０が備えるコンテンツ再生部１３によって再生される。ステップＳ５６において、ユーザは選択コンテンツを視聴する。
【００６４】
このように、第２の実施の形態に係るコンテンツ処理装置１は、第一電源２０１を備え、別系統の第三電源２０３を備えたコンテンツ表示装置１１０を接続することで、ユーザはコンテンツ処理装置１の起動が完了するまで待機せずに、迅速に番組情報ライブラリを閲覧することができる。また、第１の実施の形態と同様、コンテンツ処理装置１の起動時間に対する待機状態を回避することが可能となる。また、第１の実施の形態と同様、節電及び電子部品に対する経年劣化の抑制にも効果がある。更に、第１の実施の形態の記録装置２００と比較して、第２の実施の形態の記録装置２００は、機能ブロックが少ないため、消費電力の低減、起動の迅速化、製品コストや組み立てコストの低減に貢献する。更に、番組情報ライブラリを格納する記録部を一元的に備えるため、同期処理等が不必要となり、そのためのアプリケーション等を省くことができるが、番組情報ライブラリの冗長性は損なわれる。
【００６５】
次に、図１６に示すフローチャートを用いて第２の実施の形態に係る録画済及び録画予定番組情報ライブラリ閲覧時におけるコンテンツ処理装置１の電源制御について説明する。ここで、動作のスタート時においては、図１４における番組情報取得部２０、ライブラリ制御部３０、ライブラリ記録部３１、ライブラリ出力部４０、要求情報入力部５０、電源制御部６０及びコンテンツ出力部７０が電源ＯＮの状態である。コンテンツ及び番組情報の取得、番組情報ライブラリの変更等を自動的に行うためである。また、コンテンツ取得部１１、コンテンツ記録部１２、コンテンツ再生部１３、番組情報表示部１０６及びコンテンツ表示装置１１０は電源ＯＦＦの状態である。消費電力を抑え、節電するためである。
【００６６】
（ａ）ステップＳ６０において、ユーザが番組情報ライブラリを閲覧するために、コンテンツ表示装置１１０の電源をＯＮにする。コンテンツ表示装置１１０は、自動的にコンテンツ処理装置１へ電源ＯＮの要求を送信する。ステップＳ６１において、電源ＯＮの要求を受信した要求情報入力部５０は、電源制御部６０に対して、コンテンツ処理装置１の電源ＯＮの要求を送信する。
【００６７】
（ｂ）ステップＳ６２において、電源制御部６０は、コンテンツ処理装置１が備える機能ブロックの中に起動していないものがあるか判別する。未起動の機能ブロックが存在した場合、ステップＳ６３において、電源制御部６０は、未起動の機能ブロックに対して電源ＯＮの要求を送信し、起動を促す。
【００６８】
（第３の実施の形態）
本発明の第３の実施の形態に係る記録装置２００は、図１７のように示される。すなわち、番組情報ライブラリを表示する番組情報表示部１０６がコンテンツ処理装置１に接続される。なお、番組情報表示部１０６は第四電源２０４を備えており、コンテンツ処理装置１が備える第一電源２０１とは別系統の電源である。
【００６９】
従って、本発明の第２の実施の形態に係るコンテンツ処理装置１と同様、第１の実施の形態に係るコンテンツ処理装置１とは異なり、複数の記録部間で番組情報ライブラリの同期に関する処理を行う必要も、同期処理を施す際の通信を行う必要もない。ここで、本発明の第１の実施の形態に係るコンテンツ処理装置１における番組情報制御部１０２、番組情報記録部１０３及び番組情報出力部１０５の機能は、本発明の第３の実施の形態に係るコンテンツ処理装置１の、ライブラリ制御部３０、ライブラリ記録部３１及びライブラリ出力部４０がそれぞれ有する。
【００７０】
次に、図１８に示すフローチャートを用いて、第３の実施の形態に係る番組情報ライブラリ及びコンテンツの閲覧について説明する。ここで、動作のスタート時においては、図１７における番組情報取得部２０、ライブラリ制御部３０、ライブラリ記録部３１、ライブラリ出力部４０、要求情報入力部５０及び電源制御部６０が電源ＯＮの状態である。コンテンツ及び番組情報の取得、番組情報ライブラリの変更等を自動的に行うためである。また、コンテンツ取得部１１、コンテンツ記録部１２、コンテンツ再生部１３、コンテンツ出力部７０、番組情報表示部１０６及びコンテンツ表示装置１１０は電源ＯＦＦの状態である。消費電力を抑え、節電するためである。
【００７１】
（ａ）ステップＳ７０において、ユーザが番組情報ライブラリを閲覧するため、番組情報表示部１０６の電源をＯＮにする。
【００７２】
（ｂ）ステップＳ７１において、番組情報表示部１０６の電源ＯＮの状態に関する情報を要求情報入力部５０が取得する。要求情報入力部５０は、コンテンツ取得部１１、コンテンツ記録部１２及びコンテンツ再生部１３、コンテンツ出力部７０の電源をＯＮにするよう電源制御部６０に指示する。その後、各機能ブロックの起動が開始される。
【００７３】
（ｃ）ステップＳ７２において、ユーザは番組情報表示部１０６に表示された番組情報ライブラリを閲覧する。コンテンツ処理装置１の起動時には、各機能ブロックの初期化及び読込みのために時間が費やされる。更に、ハードディスク等の記録装置による大容量化、ＥＰＧ及びネットワーク機能等の増加に伴うハードウェア増加及びハードウェアを制御するソフトウェアの増加によって、初期化及び読込みのために浪費する時間は増大している。そのため、コンテンツ処理装置１の起動には十分な時間が必要となる。
【００７４】
（ｄ）ステップＳ７３において、ユーザが番組情報ライブラリを閲覧中に、コンテンツ処理装置１は起動を完了する。ステップＳ７４において、ユーザは番組情報ライブラリを閲覧後、視聴するコンテンツを選択する。
【００７５】
（ｄ）ステップＳ７５において、ユーザによって視聴の選択をされたコンテンツが、コンテンツ処理装置１のコンテンツ記録再生部１０が備えるコンテンツ再生部１３によって再生される。ステップＳ７６において、ユーザは選択コンテンツを視聴する。
【００７６】
このように、第３の実施の形態に係るコンテンツ処理装置１は、第一電源２０１を備え、別系統の第四電源２０４を備えた番組情報表示部１０６を接続することで、ユーザはコンテンツ処理装置１の起動が完了するまで待機せずに、迅速に番組情報ライブラリを閲覧できる。また、第１及び第２の実施の形態と同様、コンテンツ処理装置１の起動時間に対する待機状態を回避することが可能となる。また、第１及び第２の実施の形態と同様、節電及び電子部品に対する経年劣化の抑制にも効果がある。更に、第１の実施の形態の記録装置２００と比較して、第３の実施の形態の記録装置２００は、機能ブロックが少ないため、消費電力の低減、起動の迅速化、製品コストや組み立てコストの低減に貢献する。更に、番組情報ライブラリを格納する記録部を一元的に備えるため、同期処理等が不必要となり、そのためのアプリケーション等を省くことができるが、番組情報ライブラリの冗長性は損なわれる。
【００７７】
（その他の実施の形態）
上記のように、本発明の実施の形態を記載したが、この開示の一部をなす論述及び図面はこの発明を限定するものであると理解すべきではない。この開示から当業者には様々な代替実施の形態、実施例及び運用技術が明らかとなろう。例えば、図１に示すコンテンツ処理装置１及び番組情報処理装置１００において、ライブラリ記録部３１及び番組情報記録部１０３をそれぞれ備えていると説明した。これに対して図１に示す番組情報記録部１０３の機能をライブラリ記録部３１に持たせ、番組情報ライブラリを格納する機能ブロックを一元的に管理する構成としてもよい。このように、本発明はここでは記載していない様々な実施の形態等を含むことは勿論である。したがって、本発明の技術的範囲は上記の説明からは妥当な特許請求の範囲に係る発明特定事項によってのみ定められるものである。
【図面の簡単な説明】
【００７８】
【図１】本発明の第１の実施の形態に係る記録装置の構成図である。
【図２】本発明の第１、２及び３の実施の形態に係る番組情報処理装置の概略図例及び閲覧メニュー例である。
【図３】本発明の第１、２及び３の実施の形態に係る番組情報処理装置の概略図例及び詳細閲覧メニュー例である。
【図４】本発明の第１、２及び３の実施の形態に係る番組情報処理装置の概略図例及び録画済の番組情報ライブラリ例である。
【図５】本発明の第１、２及び３の実施の形態に係る番組情報処理装置の概略図例及び録画予定の番組情報ライブラリ例である。
【図６】本発明の第１、２及び３の実施の形態に係る録画済の番組情報例である。
【図７】本発明の第１、２及び３の実施の形態に係る録画予定の番組情報例である。
【図８】本発明の第１、２及び３の実施の形態に係る録画済の番組情報ライブラリ例である。
【図９】本発明の第１、２及び３の実施の形態に係る録画予定の番組情報ライブラリ例である。
【図１０】本発明の第１の実施の形態に係るコンテンツの視聴方法を示すフローチャート図である。
【図１１】本発明の第１の実施の形態に係る録画済の番組情報ライブラリの同期処理方法を示すフローチャート図である。
【図１２】本発明の第１の実施の形態に係る録画予定の番組情報ライブラリの同期処理方法を示すフローチャート図である。
【図１３】本発明の第１の実施の形態に係る番組情報ライブラリの閲覧時における電源制御を示すフローチャート図である。
【図１４】本発明の第２の実施の形態に係る記録装置の構成図である。
【図１５】本発明の第２の実施の形態に係るコンテンツの視聴方法を示すフローチャート図である。
【図１６】本発明の第２及び３の実施の形態に係る番組情報ライブラリの閲覧時における電源制御を示すフローチャート図である。
【図１７】本発明の第３の実施の形態に係る記録装置の構成図である。
【図１８】本発明の第３の実施の形態に係るコンテンツの視聴方法を示すフローチャート図である。
【符号の説明】
【００７９】
１１…コンテンツ取得部
１２…コンテンツ記録部
２０…番組情報取得部
３１…ライブラリ記録部
６０…電源制御部
１０３…番組情報記録部
１０６…番組情報表示部
１１０…コンテンツ表示装置
２００…記録装置
２０１…第一電源
２０２…第二電源
【図１】
2008079000.tif 000003
【図２】
2008079000.tif 000004
【図３】
2008079000.tif 000005
【図４】
2008079000.tif 000006
【図５】
2008079000.tif 000007
【図６】
2008079000.tif 000008
【図７】
2008079000.tif 000009
【図８】
2008079000.tif 000010
【図９】
2008079000.tif 000011
【図１０】
2008079000.tif 000012
【図１１】
2008079000.tif 000013
【図１２】
2008079000.tif 000014
【図１３】
2008079000.tif 000015
【図１４】
2008079000.tif 000016
【図１５】
2008079000.tif 000017
【図１６】
2008079000.tif 000018
【図１７】
2008079000.tif 000019
【図１８】
2008079000.tif 000020